(57)【要約】      （修正有）【課題】優れた組立性、取扱性、及び安全性を備えた紙製構造体を提供することを目的とする。【解決手段】紙管３Ｅ，３Ｆ，３Ｇと、前記紙管の両端に接続される二つのダンボールブロック３Ａ，３Ｂ，３Ｃ，３Ｄと、で構成されたユニット柱３を少なくとも二本と、少なくとも一本の棒状梁５と、を含み、前記ユニット柱を所定間隔で接地面に立設し、前記棒状梁により前記ユニット柱同士が接続されること、を特徴とする紙製構造体１を提供する。【選択図】図１
2018194145.tif 000002
【特許請求の範囲】
【請求項１】
紙管と、前記紙管の両端に接続される二つのダンボールブロックと、で構成されたユニット柱を少なくとも二本と、
少なくとも一本の棒状梁と、を含み、
前記ユニット柱を所定間隔で接地面に立設し、前記棒状梁により前記ユニット柱同士が接続されること、
を特徴とする紙製構造体。
【請求項２】
前記ダンボールブロックが、ダンボールシートの積層体で構成されており、いずれかの面に、平面方向及び／又は板厚方向に延び前記紙管を接続可能な切欠部を少なくとも一つ具備すること、
を特徴とする請求項１に記載の紙製構造体。
【請求項３】
前記接地面に接する前記ダンボールブロックが、前記接地面に当接する底板を具備すること、
を特徴とする請求項１又は２に記載の紙製構造体。
【請求項４】
前記棒状梁が、伸縮自在の構成を有すること、
を特徴とする請求項１〜３のいずれかに記載の紙製構造体。
【請求項５】
二本の前記ユニット柱を接続する筋交いを具備すること、
を特徴とする請求項１〜４のいずれかに記載の紙製構造体。
【請求項６】
請求項１〜５のいずれかに記載の紙製構造体と、少なくとも一枚のスクリーンと、を含み、前記棒状梁に前記スクリーンが固定されること、
を特徴とするスクリーンスタンド。
【発明の詳細な説明】
【技術分野】
【０００１】
本発明は、撮影用背景スクリーンを支持することのできる紙製構造体、及び、これを用いたスクリーンスタンドに関する。
【背景技術】
【０００２】
従来、例えば屋内での写真撮影等では、当該屋内の景観を意図的に利用するケース以外、屋内の物品等の写り込みは基本的に好まれない傾向にある。このため、屋内での写真撮影を専門に行っている撮影者は、被写体の背景となる範囲に生地等で形成されたスクリーンを配設し、当該被写体の写り具合を向上させる手法が多く取られている。
【０００３】
スクリーンは、設備が整った撮影スタジオ等であれば、壁面上方に専用の固定部等を配設し、当該固定部にスクリーンを固定しているが、写真撮影を趣味等で行っている撮影者は、例えば金属性の三脚を二つ用意し、当該三脚それぞれの上部にスクリーンの一辺を固定した梁を接続し、スクリーンを吊り下げて使用している。このような三脚を用いたスクリーンスタンドは、一般的に市販されており、認知度も高い。
【０００４】
なお、このようなスクリーンスタンドに関する先行技術文献について出願人が調べたところ、例えば特許文献１（特開２００６−２９２９０８号公報）に、様々な設置環境や用途に適応可能なスクリーンスタンドが開示されているが、プロジェクタから投写された画像を投影するものであり、二種類以上のスクリーンを交換可能に形成されていることを特徴としているのみである。
【先行技術文献】
【特許文献】
【０００５】
【特許文献１】特開２００６−２９２９０８号公報
【発明の概要】
【発明が解決しようとする課題】
【０００６】
しかしながら、上記のような従来のスクリーンスタンドは、金属製の三脚及びその他部品を用いて構成されているため、重量があり、取扱性に優れているとは言えなかった。また、三脚を折りたたむことである程度小型化することは可能であるが、限られたスペースに対して容易に収納できるものではない。更に、使用中転倒した場合は、重量があるため周囲の器物を破損したり、撮影者やモデルが怪我を負うおそれがあった。
【０００７】
従来のスクリーンスタンドの構造に着目すると、過剰な剛性を有した三脚状の柱を複数備えていることから、組立性、取扱性及び安全性に配慮がなされていないことは明らかであって、未だ改善の余地があった。上記特許文献１のスクリーンスタンドについても、撮影にも利用はできるかもしれないが、組立性、取扱性及び安全性の観点から十分な手当てがなされていないのが実情である。
【０００８】
そこで、本発明の目的は、優れた組立性、取扱性、及び安全性を備えた紙製構造体を提供し、更にこれを用いたスクリーンスタンドを提供することにある。
【課題を解決するための手段】
【０００９】
上記の課題を解決すべく、本発明は、
紙管と、前記紙管の両端に接続される二つのダンボールブロックと、で構成されたユニット柱を少なくとも二本と、
少なくとも一本の棒状梁と、を含み、
前記ユニット柱を所定間隔で接地面に立設し、前記棒状梁により前記ユニット柱同士が接続されること、
を特徴とする紙製構造体を提供する。
【００１０】
このような構成を有する本発明の紙製構造体では、ダンボールブロックと、紙管と、で構成された複数のユニット柱により所定の高さに棒状梁を配置し、当該棒状梁にスクリーン等のシート体を固定することで当該スクリーンを上方から下方に吊り下げることができるものであり、優れた組立性、取扱性、及び安全性を備えている。
【００１１】
また、上記の本発明の紙製構造体においては、前記ダンボールブロックが、ダンボールシートの積層体で構成されており、いずれかの面に、平面方向及び／又は板厚方向に延び前記紙管を接続可能な切欠部を少なくとも一つ具備することが望ましい。
【００１２】
このような構成を有する本発明の紙製構造体では、ユニット柱を構成するダンボールブロックが軽量なダンボールシートを積層させて形成しているため、組立性と取扱性を向上させることができる。また、使用中に転倒しても、器物の破損を抑止し、撮影者やモデル等が怪我を負う恐れが低いため、高い安全性を兼ね備える。更に、例えば一部が破損しても一般的な鋏等の切断工具や接着剤等を使用することで補修を行うことができ、逆に解体して破棄することも可能であるため、非常に優れた取扱性も兼ね備える。
また、ダンボールブロックが切欠部を有するため、棒状梁を確実に係合させることができる。
【００１３】
また、上記の本発明の紙製構造体においては、前記接地面に接する前記ダンボールブロックが、前記接地面に当接する底板を具備することが望ましい。
【００１４】
このような構成を有する本発明の紙製構造体では、接地面に当接するダンボールブロックが底板を具備するため、ユニット柱を安全かつ確実に当該接地面に立設させることができる。
【００１５】
また、上記の本発明の紙製構造体においては、前記棒状梁が、伸縮自在の構成を有することが望ましい。
【００１６】
このような構成を有する本発明の紙製構造体では、棒状梁が所定の範囲で伸縮自在な構造を有するため、ユニット柱の離間距離を使用者が任意に選択でき、スクリーンのサイズに応じて決定することができる。
【００１７】
また、上記の本発明の紙製構造体は、二本の前記ユニット柱を接続する筋交いを具備することが望ましい。
【００１８】
このような構成を有する本発明の紙製構造体では、交差した筋交いが双方のユニット柱を接続しているため、当該ユニット柱の転倒を抑制し、紙製構造体全体の剛性を向上することができる。
【００１９】
更に、本発明は、上記の本発明の紙製構造体と、少なくとも一枚のスクリーンと、を含み、前記棒状梁に前記スクリーンが固定されるスクリーンスタンドを提供する。
【００２０】
このような構成を有する本発明のスクリーンスタンドは、上記の本発明の紙製構造体を用いて形成されているため、ダンボールブロックと、紙管と、で構成された複数のユニット柱により所定の高さに棒状梁を配置し、当該棒状梁にスクリーンを上方から下方に吊り下げることができ、優れた組立性、取扱性、及び安全性を備えている。
【発明の効果】
【００２１】
本発明によれば、背景スクリーン等を支持することができる、優れた組立性、取扱性、及び安全性を備えた紙製構造体を提供することができる。
【図面の簡単な説明】
【００２２】
【図１】本紙製構造体１の概要を示す斜視図である。
【図２】第一ダンボールブロック３Ａの構造を示す図であって、図２（ａ）は、第一ダンボールブロック３Ａの一部を断面視した平面図であり、図２（ｂ）は、図２（ａ）に示す矢視Ａにおける第一ダンボールブロック３Ａの断面図であり、図２（ｃ）は、第一ダンボールブロック３Ａの底面図である。
【図３】第二ダンボールブロック３Ｂの構造を示す図であって、図３（ａ）は、第二ダンボールブロック３Ｂの平面図であり、図３（ｂ）は、第二ダンボールブロック３Ｂの上面図であり、図３（ｃ）は、第二ダンボールブロック３Ｂの底面図である。
【図４】第三ダンボールブロック３Ｃの構造を示す図であって、図４（ａ）は、第三ダンボールブロック３Ｃの平面図であり、図４（ｂ）は、第三ダンボールブロック３Ｃの上面図であり、図４（ｃ）は、第三ダンボールブロック３Ｃの底面図である。
【図５】第四ダンボールブロック３Ｄの構造を示す図であって、図５（ａ）は、第四ダンボールブロック３Ｄの平面図であり、図５（ｂ）は、第四ダンボールブロック３Ｄの上面図であり、図５（ｃ）は、第四ダンボールブロック３Ｄの底面図である。
【図６】底板３Ｈの構造を示す図であって、図６（ａ）は、底板３Ｈの正面図であり、図６（ｂ）は、図６（ａ）に示す矢視Ｂにおける底板３Ｈの断面図であり、図６（ｃ）は、底板３Ｈの平面図である。
【図７】第一紙管３Ｅ、第二紙管３Ｆ、及び第三紙管３Ｇの構造を示す図であって、図７（ａ）は、各紙管の端部を示す正面図であり、図７（ｂ）は、各紙管の側面を示す側面図である。
【図８】ユニット柱３の組立方法を示す図であって、図８（ａ）は、ユニット柱３の組立構成を示す模式図であり、図８（ｂ）は、組立後におけるユニット柱３の模式図である。
【図９】棒状梁５の構造を示す図であって、図９（ａ）は、棒状梁５の端部を示す正面図であり、図９（ｂ）は、収縮時における棒状梁５の側面図であり、図９（ｃ）は、伸長時における棒状梁５の側面図である。
【図１０】ユニット柱３に棒状梁５を係合する方法を示す模式図である。
【図１１】棒状梁５の両端部を第一切欠き１１又は第三切欠き１５に勘合させる方法を示す模式図である。
【図１２】剛性を高めた紙製構造体４０１の構造を示す斜視図である。
【図１３】最小部品数で構成された紙製構造体１０１の概要を示す模式図である。
【図１４】略水平に連結した紙製構造体２０１の構造を示す図であって、図１４（ａ）は、略水平に連結した紙製構造体２０１の側面図であり、図１４（ｂ）は、一本のユニット柱２０３に二本の棒状梁２０５を係合させる方法を示すユニット柱２０３の部分拡大図である。
【図１５】略Ｌ字状に連結した紙製構造体３０１の構造を示す図であって、図１５（ａ）は、略Ｌ字状に連結した紙製構造体３０１の平面図であり、図１５（ｂ）は、略Ｌ字状に連結した紙製構造体３０１の側面図であり、図１５（ｃ）は、中間に配置されたユニット柱３０３に二本の棒状梁３０５を係合させる方法を示すユニット柱３０３の部分拡大図である。
【発明を実施するための形態】
【００２３】
以下、図１〜図１５を参照しながら、本発明の紙製構造体の代表的な実施形態であるスクリーンスタンドについて詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２４】
１．スクリーンスタンドの概要
図１を用いて本実施形態の紙製構造体を用いたスクリーンスタンドの概要について説明する。図１は、本紙製構造体（スクリーンスタンド）１の概要を示す斜視図である。
【００２５】
本実施形態のスクリーンスタンド１は、例えば屋内で人物モデルや物品等の写真や動画撮影を行う際、柄（屋外の景色等）等をプリントしたスクリーン７を立設させ、当該スクリーン７の前方に人物モデルや物品等を配置することで、容易に所望の背景を使用者に提供するものである。
【００２６】
また、本実施形態のスクリーンスタンド１を構成する紙製構造体は、単純かつ軽量な部品を複数組み合わせて構成するものであって、使用者がある程度自由に当該部品を組み合わせて所望の形状を得ることができ、更に、上記のとおり各部品が軽量であるため、組立性、安全性、収納性、携行性等、複数の利点を有する。
【００２７】
２．スクリーンスタンド１の構造
＜スクリーンスタンド１全体の構造＞
図１に示すとおり、本実施形態のスクリーンスタンド１は、概ねスクリーン７を支持するフレームとなる複数のユニット柱３と、該複数のユニット柱３の上方部に位置し、スクリーン７を固定しつつ吊り下げる棒状梁５と、から構成されている。
【００２８】
＜ユニット柱３の構造＞
ユニット柱３は、概ね第一ダンボールブロック３Ａと、第二段ボールブロック３Ｂと、第三段ボールブロック３Ｃと、第四ダンボールブロック３Ｄと、第一紙管３Ｅと、第二紙管３Ｆと、第三紙管３Ｇと、底板３Ｈと、から構成されている。なお、当該構成は一例であって、例えば更に多数、又は少数のダンボールブロック及び紙管を用いた構成としてもよい。
【００２９】
＜第一ダンボールブロック３Ａ＞
次に、図２（ａ）（ｂ）（ｃ）を用いて第一ダンボールブロック３Ａの構造について詳細に説明する。図２（ａ）（ｂ）（ｃ）は、第一ダンボールブロック３Ａの構造を示す図であって、図２（ａ）は、第一ダンボールブロック３Ａの一部を断面視した平面図であり、図２（ｂ）は、図２（ａ）に示す矢視Ａにおける第一ダンボールブロック３Ａの断面図であり、図２（ｃ）は、第一ダンボールブロック３Ａの底面図である。
【００３０】
第一ダンボールブロック３Ａは、略矩形の部品であって、複数のダンボールシートを積層させることにより構成されている。なお、後述するその他のダンボールブロックにも、上記第一ダンボールブロック３Ａと同様にダンボールシートを積層させて構成されたものを用いる。
【００３１】
図２（ａ）に示すとおり、第一ダンボールブロック３Ａは、一の端面（直立させた状態の上方の端面）において平面方向に抜ける第一切欠部（以下、「切欠き」ともいう。）１１を備えており、当該第一切欠き１１の切欠き幅は、少なくとも後述する棒状梁５の直径よりも大きい寸法とすることが好ましい。また、本実施形態では当該第一切欠き１１の断面形状を略矩形としているが、これに限定されるものではなく、例えば入隅部等に円弧を用いた形状としてもよい。
【００３２】
また、図２（ｂ）に示すとおり、上記第一切欠き１１を備える端面には、断面方向に抜ける第二切欠き１２が備わっており、第一切欠き１１と略鉛直に交差している。当該第二切欠き１２は、第一切欠き１１と略同寸法の切欠き幅を有している。
【００３３】
第一切欠き１１の底部と、第二切欠き１２の底部と、の高さは異なり、第一ダンボールブロック３Ａを直立状態（第一切欠き１１及び第二切欠き１２を備える端面を上方にして配置した状態）とした場合、第二切欠き１２の底部は、第一切欠き１１の底部より高所に位置する。当該第一切欠き１１の底部と、第二切欠き１２の底部と、の高低差は少なくとも後述する棒状梁５の直径よりも大きい寸法とすることが好ましい。
【００３４】
更に、図２（ｂ）及び（ｃ）に示すとおり、第一ダンボールブロック３Ａを直立させた状態における下方の端面には、後述する第一紙管３Ｅを挿入する第一穴１３が備わっている。当該第一穴１３は、所定の深さを有する穴であって、上記端面の略中央から第一ダンボールブロック３Ａの内部側に向かって略鉛直に配設されている。第一穴１３の直径及び深さは、第一紙管３Ｅの直径及び長さに応じて決定することが好ましく、第一ダンボールブロック３Ａと、第一紙管３Ｅと、が確実に固定されるよう形成されている。
【００３５】
＜第二ダンボールブロック３Ｂ＞
続いて、図３（ａ）（ｂ）（ｃ）を用いて第二ダンボールブロック３Ｂの構造について詳細に説明する。図３（ａ）（ｂ）（ｃ）は、第二ダンボールブロック３Ｂの構造を示す図であって、図３（ａ）は、第二ダンボールブロック３Ｂの平面図であり、図３（ｂ）は、第二ダンボールブロック３Ｂの上面図であり、図３（ｃ）は、第二ダンボールブロック３Ｂの底面図である。
【００３６】
図３（ａ）に示すとおり、第二ダンボールブロック３Ｂは、略矩形の部品であって、一の端面（直立させた状態の上方の端面）において平面方向に抜ける第三切欠き１５を備えており、当該第三切欠き１５の切欠き幅は、第一位切欠き１１と同様に少なくとも棒状梁５の直径よりも大きい寸法とすることが好ましい。また、本実施形態では当該第三切欠き１５の断面形状を略矩形としているが、これに限定されるものではなく、例えば入隅部等に円弧を用いた形状としてもよい。
【００３７】
更に、図３（ｂ）及び（ｃ）に示すとおり、第三ダンボールブロック３Ｂを直立させた状態における下方の端面には、第二紙管３Ｆを挿入する二つの第二穴１７が当該端面に対して所定の間隔で備わっており、また上方の端面には、第一紙管３Ｅを挿入する一つの第三穴１９が当該端面の略中央に備わっている。
【００３８】
当該第二穴１７及び第三穴１９は、所定の深さを有する穴であって、上記上下の端面から第二ダンボールブロック３Ｂの内部側に向かって略鉛直に配設されている。第二穴１７及び第三穴１９の直径及び深さは、それぞれに挿入される第一紙管３Ｅ及び第二紙管３Ｆの直径及び長さに応じて決定することが好ましく、第二ダンボールブロック３Ｂと、第一紙管３Ｅ及び第二紙管３Ｆと、が確実に固定されるよう形成されている。
【００３９】
＜第三ダンボールブロック３Ｃ＞
続いて、図４（ａ）（ｂ）（ｃ）を用いて第三ダンボールブロック３Ｃの構造について詳細に説明する。図４（ａ）（ｂ）（ｃ）は、第三ダンボールブロック３Ｃの構造を示す図であって、図４（ａ）は、第三ダンボールブロック３Ｃの平面図であり、図４（ｂ）は、第三ダンボールブロック３Ｃの上面図であり、図４（ｃ）は、第三ダンボールブロック３Ｃの底面図である。
【００４０】
図４（ａ）（ｂ）（ｃ）に示すとおり、第三ダンボールブロック３Ｃは、略矩形の部品であって、直立させた状態における下方の端面には、第三紙管３Ｇを挿入する二つの第四穴２１が当該端面に対して所定の間隔で備わっており、また上方の端面には、第二紙管３Ｆを挿入する二つの第五穴２３が当該端面に対して所定の間隔で備わっている。
【００４１】
当該第四穴２１及び第五穴２３は、所定の深さを有する穴であって、上記上下の端面から第三ダンボールブロック３Ｃの内部側に向かって略鉛直に配設されている。第四穴２１及び第五穴２３の直径及び深さは、それぞれに挿入される第二紙管３Ｆ及び第三紙管３Ｇの直径及び長さに応じて決定することが好ましく、第三ダンボールブロック３Ｃと、第二紙管３Ｆ及び第三紙管３Ｇと、が確実に固定されるよう形成されている。
【００４２】
＜第四ダンボールブロック３Ｄ＞
続いて、図５（ａ）（ｂ）（ｃ）を用いて第四ダンボールブロック３Ｄの構造について詳細に説明する。図５（ａ）（ｂ）（ｃ）は、第四ダンボールブロック３Ｄの構造を示す図であって、図５（ａ）は、第四ダンボールブロック３Ｄの平面図であり、図５（ｂ）は、第四ダンボールブロック３Ｄの上面図であり、図５（ｃ）は、第四ダンボールブロック３Ｄの底面図である。
【００４３】
図５（ａ）（ｂ）（ｃ）に示すとおり、第四ダンボールブロック３Ｄは、略矩形の部品であって、直立させた状態における上方の端面には、第三紙管３Ｇを挿入する二つの第六穴２４が当該端面に対して所定の間隔で備わっており、また下方の端面には、後述する底板３Ｈを嵌合させる二つの第一接続溝３０が当該端面に対して所定の間隔で備わっている。
【００４４】
当該第六穴２４は、所定の深さを有する穴であって、上方の端面から第四ダンボールブロック３Ｄの内部側に向かって略鉛直に配設されている。第六穴２４の直径及び深さは、該第六穴２４に挿入される第三紙管３Ｇの直径及び長さに応じて決定されることが望ましく、第四ダンボールブロック３Ｄと、第三紙管３Ｇと、が確実に固定されるよう形成されている。
【００４５】
二つの第一接続溝３０は、下方の端面に配設された平面方向に抜ける溝であって、それぞれを所定の間隔かつ左右どちらかに偏芯させて配設されている。当該第一接続溝３０の幅寸法は後述する底板３Ｈが具備する側板２７の板厚寸法と略同寸法（嵌合容易にするためクリアランスを設けてもよい）とすることが望ましい。
【００４６】
＜底板３Ｈ＞
次に、図６（ａ）（ｂ）（ｃ）を用いて底板３Ｈの構造について詳細に説明する。図６（ａ）（ｂ）（ｃ）は、底板３Ｈの構造を示す図であって、図６（ａ）は、底板３Ｈの正面図であり、図６（ｂ）は、図６（ａ）に示す矢視Ｂによる底板３Ｈの断面図であり、図６（ｃ）は、底板３Ｈの平面図である。
【００４７】
当該底板３Ｈは、第四ダンボールブロック３Ｄの下方に接続されて、該第四ダンボールブロック３Ｄと、接地面５１と、の当接面積を拡幅し、本実施形態の紙製構造体１をより安定かつ確実に接地面５１に直立させるためのものである。
【００４８】
図６（ａ）（ｂ）（ｃ）に示すとおり、底板３Ｈは、上方に開口した略コの字型の部品であって、概ね接地面５１に当接する底２９と、該底２９の両端部から上方に対して略鉛直に配設された２枚の側板２７と、から構成されている。また当該底板３Ｈにおいても、上述した種々のダンボールブロックと同様にダンボールシートを積層することにより構成されている。
【００４９】
当該底板３Ｈを構成する底２９及び側板２７の幅寸法、長さ寸法、及び高さ寸法は、第四ダンボールブロック３Ｄのサイズ及び本実施形態の紙製構造体１全体の重量バランスに応じて決定することが好ましい（二枚の側板２７間の離間寸法は、上述した第四ダンボールブロック３Ｄが具備する二つの第一接続溝３０の離間寸法と略同寸法）。また、当該底板３Ｈは、上記第四ダンボールブロック３Ｄに接続するため、二枚の側板２７には、第二接続溝３１が備わっている。
【００５０】
上記第二接続溝３１は、側板２７の上方の端面略中央において、側面方向に抜ける溝であって、溝の幅寸法は上述した第四ダンボールブロック３Ｄの板厚とる略同寸法（嵌合容易にするためクリアランスを設けてもよい）とすることが望ましい。
【００５１】
また、底２９には上述した第四ダンボールブロック３Ｄの下方の端面の一部を挿入するための逃し孔３２が備わっている。当該逃し孔３２は、第二接続溝３１の幅寸法と略同様の幅かつ二枚の側板２７における離間距離と略同寸法の長さを有する孔であって、底２９の略中央に配設されている。
【００５２】
当該逃し孔３２により、第四ダンボールブロック３Ｄと、底板３Ｈと、を接続させた際、当該第四ダンボール３Ｄが具備する二つの第一接続溝３０間に位置する端面が底板３Ｈの逃し孔３２に挿入され、第四ダンボールブロック３Ｄの下方の端面と、底板３Ｈの底２９の裏面と、が面一となり、接地面５１に対してより安定した接地を行うことが可能となる。
【００５３】
＜第一紙管３Ｅ、第二紙管３Ｆ、第三紙管３Ｇ＞
続いて、図７（ａ）及び（ｂ）を用いて第一紙管３Ｅ、第二紙管３Ｆ、及び第三紙管３Ｇの構造について詳細に説明する。図７（ａ）及び（ｂ）は、第一紙管３Ｅ、第二紙管３Ｆ、及び第三紙管３Ｇの構造を示す図であって、図７（ａ）は、各紙管の端部を示す正面図であり、図７（ｂ）は、各紙管の側面を示す側面図である。
【００５４】
図７（ａ）及び（ｂ）に示すとおり、第一紙管３Ｅ、第二紙管３Ｆ、及び第三紙管３Ｇは、硬質の紙管で構成された内部に中空層を有する略円筒状の部品であって、長さＬ１は、本実施形態における紙製構造体１のサイズ（後述する棒状梁５の接地高さ等）に応じて決定することが望ましい。
【００５５】
当該第一紙管３Ｅ、第二紙管３Ｆ、及び第三紙管３Ｇは、上述のとおり、内部に中空層を有した硬質の紙管であるため、非常に軽量かつ所定の強度を備えている。なお、本実施形態の紙製構造体１では、上記のとおり略円筒状の紙管を使用しているが、同様の構成であれば、例えば矩形等の断面形状を有したものであってもよい。
【００５６】
＜ユニット柱３の組立＞
次に、図８（ａ）及び（ｂ）を用いてユニット柱３の組立方法について詳細に説明する。図８（ａ）及び（ｂ）は、ユニット柱３の組立方法を示す図であって、図８（ａ）は、ユニット柱３の組立構成を示す模式図であり、図８（ｂ）は、組立後におけるユニット柱３の模式図である。
【００５７】
ユニット柱３は、本紙製構造体１の主要な構造物であって、本実施形態では、上述した４種のダンボールブロック、及び３種の紙管で構成されている。
【００５８】
図８（ａ）に示すとおり、まず、ユニット柱３を構成する第一ダンボールブロック３Ａ、第二ダンボールブロック３Ｂ、第三ダンボールブロック３Ｃ、第四ダンボールブロック３Ｄ、第一紙管３Ｅ、第二紙管３Ｆ、第三紙管３Ｇ、及び底板３Ｈを所定の順番に配置する。
【００５９】
より具体的には、上方から第一ダンボールブロック３Ａ、第一紙管３Ｅ、第二ダンボールブロック３Ｂ、第二紙管３Ｆ、第三ダンボールブロック３Ｃ、第三紙管３Ｇ、第四ダンボールブロック３Ｄ、底板３Ｈ、の順番となるよう、各ダンボールブロックの間に紙管が位置するよう全体を配置する。
【００６０】
続いて、第四ダンボールブロック３Ｄの下方の端面と、底板３Ｈの側板２７における上方の端面と、を交差させた状態で対向させ、当該第四ダンボールブロック３Ｄの第一接続溝３０と、底板３Ｈの第二接続溝３１と、を嵌合させてそれぞれを接続する。次に、第四ダンボールブロック３Ｄが具備する二つの第六穴２４それぞれに第三紙管３Ｇの一方の端部を挿入し、他方の端部を第三ダンボールブロック３Ｃが具備する二つの第五穴２３に挿入して第三ダンボールブロック３Ｃを接続する。
【００６１】
次に、第三ダンボールブロック３Ｃの二つの第四穴２１それぞれに第二紙管３Ｆの一方の端部を挿入し、他方の端部を第二ダンボールブロック３Ｂが具備する二つの第三穴１９それぞれに挿入して当該第二ダンボールブロック３Ｂを接続する。更に、第二ダンボールブロック３Ｂが備える第二穴１７に第一紙管３Ｅの一方の端部を挿入し、他方の端部を第一ダンボールブロック３Ａが具備する第一穴１３に挿入して当該第一ダンボールブロック３Ａを接続する。
【００６２】
図８（ｂ）に示すとおり、上記手順を完了することにより、ユニット柱３が構成される。なお、上記説明では当該ユニット柱３を下方から上方に向かって組立を行う方法を説明したが、組立方法は必ずしもこれに限定されるものではなく、例えば上方から組立てを行っても問題はない。しかし、上記説明の組立方法を実施することにより、接地面５１を利用してより安全かつ確実に組立てることが可能である。なお、本実施形態の紙製構造体１では、上記組立により、二組のユニット柱３を構成する。
【００６３】
＜棒状梁５＞
次に、図９（ａ）（ｂ）（ｃ）を用いて棒状梁５の構造について詳細に説明する。図９（ａ）（ｂ）（ｃ）は、棒状梁５の構造を示す図であって、図９（ａ）は、棒状梁５の端部を示す正面図であり、図９（ｂ）は、収縮時における棒状梁５の側面図であり、図９（ｃ）は、伸長時における棒状梁５の側面図である。
【００６４】
本実施形態に用いる棒状梁５は、所定の範囲で伸縮自在な機構を備えており、当該棒状梁５にスクリーン７を固定した状態で、両端部を二本のユニット柱３それぞれを構成する第一ダンボールブロック３Ａ、又は第二ダンボールブロック３Ｂに係合し、スクリーン７を所定の位置に配置するものである。
【００６５】
図９（ａ）及び（ｂ）に示すとおり棒状柱５は、概ね芯部５Ａと、該芯部５Ａを内部に収める鞘部５Ｂと、から構成されており、例えば軽金属や硬質樹脂等を用いて形成されている。芯部５Ａは鞘部５Ｂと比して小さな直径を有した棒状部品であって、鞘部５Ｂは内部に中空層を有し、一方の端部に開口を備えた円筒状の部品である。芯部５Ａは、鞘部５Ｂの一方の端部に設けられた開口から中空層内に収められ、略入れ子状態を構成している。
【００６６】
また、図９（ｃ）に示すとおり、芯部５Ａは鞘部５Ｂから抜け出さない範囲で収納状況を変更でき、当該芯部５Ａの収納状況の変更によって、棒状梁５の長さＬ２（芯部５Ａの外部側端部から鞘部５Ｂの開口を備えていない端部までの長さ）を変更することができる。なお、芯部５Ａ及び鞘部５Ｂには、芯部５Ａの脱落防止構造（芯部５Ａが鞘部５Ｂから抜け出すことの防止）や、長さＬ２の固定構造等を別途備えてもよい。
【００６７】
＜スクリーン７＞
本実施形態の紙製構造体１に用いるスクリーン７は、例えば撮影場所とは異なる風景等の柄が描かれた薄いシート状の部品であって、種々の紙、生地（フェルトや不織布を含む）、樹脂等で形成されている。
【００６８】
当該スクリーン７の幅寸法は、上述した棒状梁５の伸縮可能範囲に応じて決定し、長さ寸法はユニット柱３の高さ、及び撮影方法に応じて決定することが望ましい。また、当該スクリーン７は、柄ではなく緑等の一色シートとしてクロマキー合成を用いた撮影に最適化してもよい。更に、立体的に造形された装飾を貼り付け、スクリーン７そのものに陰影を付与してもよい。
【００６９】
３．スクリーンスタンド１の使用方法
続いて、図１０及び図１１を用いて本実施形態のスクリーンスタンド１の使用方法について詳細に説明する。図１０は、ユニット柱３に棒状梁５を係合する方法を示す模式図であって、図１１は、棒状梁５の両端部を第一切欠き１１又は第三切欠き１５に勘合させる方法を示す模式図である。
【００７０】
図１０に示すとおり、まず二本のユニット柱３を対向させた状態で、それぞれを所望の柱間距離Ｌ３で接地面５１に配置する。双方のユニット柱３が安定して接地面５１に直立していることを確認した後、棒状梁５を上記柱間距離Ｌ３以上に伸長してスクリーン７の一方の端部（長さ方向の端部）を当該棒状梁５の側部に固定する。なお、棒状梁５にスクリーン７を固定する際、後述する方法で当該棒状梁５の両端部をそれぞれのユニット柱３が具備する第二ダンボールブロック３Ｂの第三切欠き１５に勘合させて棒状梁５を水平にすることで、容易に行うことができる。
【００７１】
棒状梁５にスクリーン７の固定が完了した後、棒状梁５及びスクリーン７を上方に持ち上げ、二つのユニット柱３に係合して固定する。より具体的には、図１１に示すとおり、双方の第一ダンボールブロック３Ａの第一切欠き１１、又は第二ダンボールブロック３Ｂの第三切欠き１５に棒状梁５の端部を嵌合させる。上述のとおり、第一ダンボールブロック３Ａと、第二ダンボールブロック３Ｂと、の高さ位置が異なるため、撮影対象となるモデルや物品の身長に応じて、第一ダンボールブロック３Ａ又は第二ダンボールブロック３Ｂを選択して使用することができる。
【００７２】
上記手順を完了することにより、本実施形態における紙製構造体１の準備がすべて完了し、撮影を行うことができる。撮影はスクリーン７の前方に撮影対象となるモデルや物品を配置し、当該スクリーン７を背景として行うが、例えば第一切欠き１１を用いて固定した棒状梁５及びスクリーン７と、当該棒状梁５及びスクリーン７以外に別途用意した他の棒状梁及びスクリーンを第三切欠き１５に固定することで、同時に２枚の同じ背景又は異なる背景を用意することができる。これにより、本実施形態における紙製構造体１の前方と、後方と、の両方から撮影することが可能となり、撮影効率及び利便性を向上することができる。
【００７３】
また、上述のとおり、本実施形態の紙製構造体１は、ユニット柱３がすべて軽量な紙を用いた材料で構成されていることから、例えば使用者が使用中に誤って倒しても器物を損壊する恐れが低く、モデル等に対する安全も確保することができる。更に、本紙製構造体１は、例えば一部が破損しても一般的な鋏等の切断工具や接着剤等を使用することで補修を行うことができ、逆に解体して破棄することも可能であるため、非常に優れた取扱性も兼ね備える。
【００７４】
以上、本発明の紙製構造体の代表的な実施形態としてスクリーンスタンドについて図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【００７５】
４．その他の実施形態
上記の実施形態のスクリーンスタンド１では、ユニット柱３を４つのダンボールブロックと、３つの紙管と、により構成している紙製構造体を用いたが、当該ユニット柱３の構成を変更することにより、種々の構造を有する紙製構造体を得ることができ、種々の用途に適用が可能である。以下、図１２、図１３、図１４（ａ）及び（ｂ）、図１５（ａ）（ｂ）（ｃ）を用いて紙製構造体のその他の実施形態を説明する。
【００７６】
＜剛性を高めた紙製構造体４０１＞
図１２を用いて、剛性を高めた紙製構造体４０１を詳細に説明する。図１２は、剛性を高めた紙製構造体４０１の構造を示す斜視図である。図１２に示すとおり、紙製構造体４０１は、主として筋交い４５５を備えることで剛性を向上させ、耐荷重性や耐震性等の性能をより高めたものである。
【００７７】
当該紙製構造体４０１は、概ね双方のユニット柱４０３を接続する筋交い４５５と、当該筋交い４５５の一方の端部をユニット柱４０３に接続するための固定具４５３と、ユニット柱４０３上部で離間距離の固定を行う固定棒４５１と、ユニット柱４０３の下部で離間距離の固定を行う固定板４５７と、位置決め具４５９と、を上述の紙製構造体１に追加して構成されている。
【００７８】
筋交い４５５は、所定の強度を備えた第一紐４５５Ａと、第二紐４５５Ｂと、から構成された部品であって、当該第一紐４５５Ａと、第二紐４５５Ｂと、を交差することにより形成されている。固定具４５３は、樹脂等で形成された略円筒状の部品であって、内径が第三紙管４０３Ｇの直径と略同寸法に形成されている。また、当該固定具４５３の側面にはリブが設けられており、当該リブは上記筋交い４５５を固定するための固定孔を備えている。
【００７９】
固定棒４５１は、所定の範囲で伸縮自在な機構を備えており、上述した棒状梁５と略同様の構成を有した略棒状の部品である。位置決め具４５９は、棒状梁４０５の両端部、及び上記固定棒４５１の両端部に固定する部品であって、例えば棒状梁４０５及び固定棒４５１の直径と略同寸法の内径を有した略円筒状に形成されている（帯状の形成し、巻き付けてもよい）。また、固定板４５７は、ダンボールシートで形成された略矩形の板部品であって、幅は底板４０３Ｈの側板４２７間の距離と略同寸法であり、長さは双方のユニット柱４０３を対向させた状態における第四ダンボールブロック４０３Ｄ間の距離と略同寸法に形成されている。
【００８０】
上記複数の部品の追加方法として具体的には、まず双方のユニット柱４０３を所定の離間距離で配置し、第四ダンボールブロック４０３Ｄを対向させる。当該状態で固定板４５７を双方のユニット柱４０３の中間下方に接近させ、該固定板４５７の両端を双方のユニット柱４０３が具備する底板４０３Ｈの側板間に挿入して固定する。これにより、双方のユニット柱４０３における離間距離が維持でき、更に当該ユニット柱４０３が個別に回転等を起こすことによる位置ずれを好適に防止することができる。
【００８１】
続いて、棒状梁４０５及び固定棒４５１を所定の長さに調整し、双方の端部に固定具４５３を配設する。当該固定具４５３は、棒状梁４０５及び固定棒４５１の一方の端部に所定の間隔を設けて２個配設し、同様に他方端部にも２個配設することから、合計４個を必要とする。
【００８２】
当該固定具４５３の配設完了後、棒状梁４０５を両端部の２個の固定具４５３間に双方のユニット柱４０３が具備する第一ダンボールブロック４０３Ａの第一切欠き４１１が配置されるよう係合させ、同様に固定棒４５１を第二ダンボールブロック４０３Ｂの第三切欠き４１５に係合させる。これにより、双方のユニット柱４０３の上方における離間距離を維持することが可能となる。
【００８３】
続いて、双方のユニット柱４０３の第三紙管４０３Ｇ下方に固定具４５３を接続し、当該固定具４５３の孔に筋交い４５５を構成する第一紐４５５Ａ（第二紐４５５Ｂ）の一方の端部を接続する。当該接続は、固定具４５３の孔に対して直接第一紐４５５Ａ（第二紐４５５Ｂ）を結びつけてもよいが、例えばカラビナ（図示せず）を用いて着脱を用意にしてもよい。なお、上記説明では簡略して記載しているが、第一紐４５５Ａと第二紐４５５Ｂとは、それぞれ異なるユニット柱４０３の第三紙管４０３Ｇに接続する。
【００８４】
上記手順により、筋交い４５５の下方の端部の固定が完了するため、続けて上方の固定を行う。双方のユニット柱４０３の第一紙管４０３Ｅに筋交い４５５を構成する第一紐４５５Ａ（第二紐４５５Ｂ）の他方の端部を接続する。当該接続は、第一紙管４０３に対して直接第一紐４５５Ａ（第二紐４５５Ｂ）を結びつける、又はあらかじめ第一紐４５５Ａ（第二紐４５５Ｂ）の端部を結んで輪を形成し、当該輪を第一紙管４０３Ｅに挿通させて接続する。
【００８５】
上記構造を有する紙製構造体４０１は、互いに交差した筋交い４５５を備えていることから、双方のユニット柱４０３の位置決め及び剛性を向上し、紙製構造体４０１全体の耐荷重性及び耐震性等を高めることができる。
【００８６】
＜最少部品数で構成された紙製構造体１０１＞
次に、図１３を用いて、最小部品数により構成された紙製構造体１０１を詳細に説明する。図１３は、最小部品数で構成された紙製構造体１０１の概要を示す模式図である。図１３に示すとおり、紙製構造体１０１は、最少の部品数で構成したユニット柱１０３と、棒状梁１０５と、から構成されたものである（構造の説明であるため、スクリーンの記述及び図示は省く）。
【００８７】
ユニット柱１０３の構造について、具体的には、第一ダンボールブロック１０３Ａと、第二ダンボールブロック１０３Ｂと、紙管１０３Ｃと、底板１０３Ｄと、から構成され、紙管が一段分のみであり、それに伴って高さ方向に中継するダンボールブロックが存在しない。棒状梁１０５を係合可能な部品は第一ダンボールブロック１０３Ａのみであるが、部品点数が少なく、組立及び分解が容易となる。また、紙管１０３Ｃを長尺にすることで紙製構造体１０１全体を嵩上することもできる。
【００８８】
＜略水平に連結した紙製構造体２０１＞
図１４（ａ）及び（ｂ）を用いて、略水平に連結した紙製構造体２０１を詳細に説明する。図１４（ａ）及び（ｂ）は、略水平に連結した紙製構造体２０１の構造を示す図であって、図１４（ａ）は、略水平に連結した紙製構造体２０１の側面図であり、図１４（ｂ）は、一本のユニット柱２０３に二本の棒状梁２０５を係合させる方法を示すユニット柱２０３の部分拡大図である。図１４（ａ）に示すとおり、略水平に連結した紙製構造体２０１は、三本以上のユニット柱２０３を略水平に連結して構成されたものである。
【００８９】
複数のユニット柱２０３を略水平に連結する方法として、具体的には、複数のユニット柱２０３を接地面５１に略直線的に配置し、当該複数のユニット柱２０３を該ユニット柱２０３の数に応じた所定数の棒状梁２０５で連結することにより構成されている。
【００９０】
両端に配置されたユニット柱２０３と、棒状梁２０５と、の接続は、上記にて詳述した紙製構造体１の構成と同様であるが、両端以外に配置されたユニット柱２０３と、棒状梁２０５と、の接続方法は、図１４（ｂ）に示すとおり、ユニット柱２０３の最上段に配置された第一ダンボールブロック２０３Ａが具備する切欠き２１１に二本の棒状梁２０５を係合させている。切欠き２１１の溝幅寸法にもよるが、一方の棒状梁２０５を当該切欠き２１１に対して先に係合し、他方の棒状梁２０５を重ねて係合させる。
【００９１】
略水平に連結した紙製構造体２０１を用いることにより、複数のスクリーンを並べて配置することができる。また、スクリーンの支持範囲が広くなるため、大きな面積を有する一枚のスクリーンを固定して使用することも可能となる。
【００９２】
＜略Ｌ字状に連結した紙製構造体３０１＞
図１５（ａ）（ｂ）（ｃ）を用いて、略Ｌ字状に連結した紙製構造体３０１を詳細に説明する。図１５（ａ）（ｂ）（ｃ）は、略Ｌ字状に連結した紙製構造体３０１の構造を示す図であって、図１５（ａ）は、略Ｌ字状に連結した紙製構造体３０１の平面図であり、図１５（ｂ）は、略Ｌ字状に連結した紙製構造体３０１の側面図であり、図１５（ｃ）は、中間に配置されたユニット柱３０３に二本の棒状梁３０５を係合させる方法を示すユニット柱３０３の部分拡大図である。図１５（ａ）及び（ｂ）に示すとおり、略Ｌ字状に連結した紙製構造体３０１は、三本以上のユニット柱３０３を略Ｌ字状に連結して構成されたものである。
【００９３】
複数のユニット柱３０３を略Ｌ字状に連結する方法として、具体的には、一本のユニット柱３０３を屈折点Ｐ１とし、その他のユニット柱３０３を略Ｌ字状となるよう配置し、更にユニット柱２０３の数に応じた所定数の棒状梁３０５で連結することにより構成されている。
【００９４】
両端に配置されたユニット柱３０３と、棒状梁３０５と、の接続は、上記にて詳述した紙製構造体１の構成と同様であるが、屈折点Ｐ１に配置されたユニット柱３０３と、棒状梁３０５と、の接続方法は、図１５（ｃ）に示すとおり、ユニット柱３０３の最上段に配置された第一ダンボールブロック３０３Ａが具備する第一切欠き３１１と、第二切欠き３１２と、のそれぞれに棒状梁３０５を係合させている（第一ダンボールブロック３０３Ａの構造は上述した第一ダンボールブロック３Ａと同様である）。
【００９５】
第一切欠き３１１と、第二切欠き３１２と、は第一ダンボールブロック３０３Ａの上方の端部で交差する切欠きであって、第一切欠き３１１の底部に比して第二切欠き３１２の底部が高所に位置するため、当該第一切欠き３１１と、第二切欠き３１２と、のそれぞれに係合した棒状梁３０５は容易に交差した状態で固定することができる。
【００９６】
略Ｌ字状に連結した紙製構造体３０１を用いることにより、複数のスクリーンを並べつつ、例えば屋内の隅角部等に配置して使用することができる。また、撮影方法によっては、背景に傾斜を付与することができるため、より複雑な撮影を行うことが可能となる。
【産業上の利用可能性】
【００９７】
本実施形態における紙製構造体は、優れた組立性、取扱性及び安全性を備え、様々な構造、寸法及び強度を有するように形成することができるため、種々の用途に適用可能である。例えばコート掛け、子供用ジャングルジム、物干し台、ターフ等にも適用可能である。
【符号の説明】
【００９８】
１        スクリーンスタンド
３        ユニット柱
３Ａ      第一ダンボールブロック
３Ｂ      第二ダンボールブロック
３Ｃ      第三ダンボールブロック
３Ｄ      第四ダンボールブロック
３Ｅ      第一紙管
３Ｆ      第二紙管
３Ｇ      第三紙管
３Ｈ      底板
５        棒状梁
５Ａ      芯部
５Ｂ      鞘部
７        スクリーン
１１      第一切欠き
１２      第二切欠き
１３      第一穴
１５      第三切欠き
１７      第二穴
１９      第三穴
２１      第四穴
２３      第五穴
２４      第六穴
２７      側板
２９      底
３０      第一接続溝
３１      第二接続溝
３２      逃し孔
５１      接地面
１０１    紙製構造体
１０３    ユニット柱
１０３Ａ  第一ダンボールブロック
１０３Ｂ  第二ダンボールブロック
１０３Ｃ  紙管
１０３Ｄ  底板
１０５    棒状梁
２０１    紙製構造体
２０３    ユニット柱
２０３Ａ  第一ダンボールブロック
２０５    棒状梁
２１１    切欠き
３０１    紙製構造体
Ｐ１      屈折点
３０３    ユニット柱
３０５    棒状梁
３１１    第一切欠き
３１２    第二切欠き
４０３    ユニット柱
４０３Ａ  第一ダンボールブロック
４０３Ｅ  第一紙管
４０３Ｂ  第二ダンボールブロック
４０３Ｄ  第四ダンボールブロック
４０３Ｇ  第三紙管
４０３Ｈ  底板
４０５    棒状梁
４１１    第一切欠き
４１５    第三切欠き
４２７    側板
４２９    底
４５１    固定棒
４５３    固定具
４５５    筋交い
４５５Ａ  第一紐
４５５Ｂ  第二紐
４５７    固定板
４５９    位置決め具
Ｌ１      長さ
Ｌ２      長さ
Ｌ３      柱間距離
Ｐ１      屈折点
【図１】
2018194145.tif 000003
【図２】
2018194145.tif 000004
【図３】
2018194145.tif 000005
【図４】
2018194145.tif 000006
【図５】
2018194145.tif 000007
【図６】
2018194145.tif 000008
【図７】
2018194145.tif 000009
【図８】
2018194145.tif 000010
【図９】
2018194145.tif 000011
【図１０】
2018194145.tif 000012
【図１１】
2018194145.tif 000013
【図１２】
2018194145.tif 000014
【図１３】
2018194145.tif 000015
【図１４】
2018194145.tif 000016
【図１５】
2018194145.tif 000017